(57)【要約】【課題】揺動操作した操作ノブが復帰されるときのノック音の発生を、より確実に防止する。【解決手段】操作ノブ３６の揺動操作により、移動したスライダ２８の移動先側の傾斜面３５の上部が、操作ノブ３６の押込み端部側とは反対側の端部側に押込み方向先で当接又は近接することにより、揺動操作した操作ノブ３６が復帰されるときの、該操作ノブ３６のタクトスイッチ２３への当たりが阻止され、又、該操作ノブ３６のスライダ２８への離間した状態からの当たりもなく、もしくは小さく留められるのであり、更に、スライダ２８がタクトスイッチ２３に離間した状態から当たることもないようにした。【選択図】図１
2008269801.tif 000002
【特許請求の範囲】
【請求項１】
シーソー式に揺動操作される操作ノブと、
両側に傾斜面を有し、この傾斜面が、揺動操作された前記操作ノブの押込み端部側により押されることにより、前記操作ノブの押込み方向と交差する方向に移動されるスライダと、
この移動したスライダにより作動されるスイッチ素子と、
移動した前記スライダを復帰させる復帰手段とを具備し、
前記操作ノブの揺動操作により、移動した前記スライダの移動先側の前記傾斜面の上部が、前記操作ノブの押込み端部側とは反対側の端部側に前記押込み方向先で当接又は近接することを特徴とするスイッチ装置。
【発明の詳細な説明】
【技術分野】
【０００１】
本発明は、操作ノブがシーソー式に揺動操作されるスイッチ装置に関する。
【背景技術】
【０００２】
従来より、操作ノブがシーソー式に揺動操作されるスイッチ装置としては、一般的に、図５に示したものが知られている。このものは、操作ノブ１が、軸部２を中心に、矢印Ａ，Ｂで示すようにシーソー式に揺動操作されるようになっており、操作ノブ１の両端部の裏側には凸部３，４が形成されている。そして、凸部３，４の更に裏側には、それぞれ押ボタン５ａ，６ａを有するタクトスイッチ５，６が、回路基板７に実装されて配置されている。
【０００３】
この構成で、操作ノブ１を揺動操作すると、凸部３がタクトスイッチ５の押ボタン５ａを押圧してタクトスイッチ５を作動させ、又は凸部４がタクトスイッチ６の押ボタン６ａを押圧してタクトスイッチ６を作動させる（図６は、そのうちの凸部３がタクトスイッチ５の押ボタン５ａを押圧してタクトスイッチ５を作動させた状態を示している）。
そして、その状態から、操作ノブ１を解放すると、タクトスイッチ５が押ボタン５ａを復帰させ、又はタクトスイッチ６が押ボタン６ａを復帰させることにより、押ボタン５ａが凸部３を、又は押ボタン６ａが凸部４を押し戻して、それぞれ操作ノブ１を復帰させ、タクトスイッチ５又は６が非作動状態に戻る（例えば特許文献１参照）。
【０００４】
しかしながら、このものでは、操作ノブ１が復帰するとき、タクトスイッチ５又は６で押し戻される側とは反対側の部分では、それがタクトスイッチ６の押ボタン６ａ又はタクトスイッチ５の押ボタン５ａから離間した状態（図６参照）から、そのタクトスイッチ６の押ボタン６ａ又はタクトスイッチ５の押ボタン５ａに当たることにより、ノック音が発生するという問題点を有していた。
【０００５】
これに対して、図７に示すように構成されたものがある。このものは、操作ノブ１とタクトスイッチ５，６との間に、中間部材１１を配設したもので、該中間部材１１は、回路基板７上に支持部材１２で揺動可能に支持されている。又、中間部材１１の両端部の上面には、それぞれ弾性片１１ａ，１１ｂが形成されており、これらの弾性片１１ａ，１１ｂが操作ノブ１の両端部の下面に常時接するようになっている（例えば特許文献２参照）。
【特許文献１】特開平１０−１９９３７３号公報
【特許文献２】特開２００５−３２６７８号公報
【発明の開示】
【発明が解決しようとする課題】
【０００６】
上記図７に示したものでは、操作ノブ１を揺動操作したとき、凸部３又は４が中間部材１１の両端部のうちの一方側を押圧して該中間部材１１を揺動させ、前記タクトスイッチ５の押ボタン５ａを押圧しての該タクトスイッチ５の作動、又は前記タクトスイッチ６の押ボタン６ａを押圧しての該タクトスイッチ５の作動が、中間部材１１を介して行われるようになっている（図８は、そのうちの凸部４が中間部材１１の図で右側の端部を押圧して該中間部材１１を時計回りに揺動させることにより、該中間部材１１の図で右側の端部でタクトスイッチ６の押ボタン６ａを押圧して、タクトスイッチ６を作動させた状態を示している）。
【０００７】
そして、そのように操作ノブ１を揺動操作したとき、中間部材１１の弾性片１１ａ，１１ｂが操作ノブ１の両端部の下面に接し続けることにより、操作ノブ１が解放されて復帰するときの前記ノック音が発生することのないように期されている。
しかしながら、中間部材１１はタクトスイッチ６又は５を押し込んだ側とは反対の側でタクトスイッチ５又は６から離間しており（図８参照）、このため、それがタクトスイッチ６又は５の復元力で復帰されるとき、タクトスイッチ５の押ボタン５ａ又はタクトスイッチ６の押ボタン６ａに当たることにより、ノック音が発生する。すなわち、このものでも、揺動操作した操作ノブ１が復帰されるときのノック音の発生を防止し切れていなかった。
【０００８】
本発明は上述の事情に鑑みてなされたものであり、従ってその目的は、揺動操作した操作ノブが復帰されるときのノック音の発生をより確実に防止し得るスイッチ装置を提供するにある。
【課題を解決するための手段】
【０００９】
上記目的を達成するために、本発明のスイッチ装置は、シーソー式に揺動操作される操作ノブと、両側に傾斜面を有し、この傾斜面が、揺動操作された前記操作ノブの押込み端部側により押されることにより、前記操作ノブの押込み方向と交差する方向に移動されるスライダと、この移動したスライダにより作動されるスイッチ素子と、移動した前記スライダを復帰させる復帰手段とを具備し、前記操作ノブの揺動操作により、移動した前記スライダの移動先側の前記傾斜面の上部が、前記操作ノブの押込み端部側とは反対側の端部側に前記押込み方向先で当接又は近接することを特徴とする。
【発明の効果】
【００１０】
上記手段によれば、操作ノブの揺動操作により、移動したスライダの移動先側の傾斜面の上部が、操作ノブの押込み端部側とは反対側の端部側に前記押込み方向先で当接又は近接することにより、揺動操作した操作ノブが復帰されるときの、該操作ノブのスイッチ素子への当たりが阻止され、又、該操作ノブのスライダへの離間した状態からの当たりもなく、もしくは小さく留められるのであり、更に、スライダがスイッチ素子に離間した状態から当たることもない。かくして、揺動操作した操作ノブが復帰されるときのノック音の発生をより確実に防止することができる。
【発明を実施するための最良の形態】
【００１１】
以下、本発明の一実施例（一実施形態）につき、図１ないし図４を参照して説明する。
まず、図２及び図３には、スイッチ装置、中でも車両の空気調和装置やオーディオコントロール装置に使用されるスイッチ装置の全体を常態で示しており、回路基板２１上にタクトスイッチ２２，２３をスイッチ素子として実装すると共に、それらのタクトスイッチ２２，２３間に位置させて支持ボディ２４を固定配置している。
【００１２】
支持ボディ２４は、図４に示すように、直方体のボックス状を成しており、その長手方向と直交する方向に対向する側壁の外面下部には、それぞれ図３に示すように、軌条部２５，２５を形成している。この軌条部２５，２５は、上面側に凹条２５ａ，２５ａを有しており、この凹条２５ａ，２５ａは、支持ボディ２４の長手方向に延びている。又、支持ボディ２４の上記長手方向と直交する方向に対向する側壁の上部の中央部には、それぞれ突壁２６，２６を形成し、更に、その突壁２６，２６の外側面にはそれぞれ軸部２７，２７を形成している。
【００１３】
支持ボディ２４の外周には、スライダ２８を配設している。このスライダ２８は、支持ボディ２４を囲繞する長方形の枠状を成しており、その長手方向と直交する方向に対向する側壁の下面部には、それぞれ凸条２９，２９を形成していて、その凸条２９，２９を上記支持ボディ２４の軌条部２５，２５の凹条２５ａ，２５ａにスライド可能に嵌合して、長手方向の両端部を前記タクトスイッチ２２，２３上に位置させている。なお、常態では、スライダ２８は、タクトスイッチ２２，２３の復元力で押し上げられており、タクトスイッチ２２，２３の上方へ突出した押ボタン２２ａ，２３ａを押込んではいない。又、スライダ２８の枠内空間２８ａの大きさは、図２に示すように、支持ボディ２４より特に長手方向に大きく、その寸法の余裕で、支持ボディ２４の長手方向に、上記凸条２９，２９を凹条２５ａ，２５ａにスライドさせながらの移動可能に設けている。
【００１４】
更に、スライダ２８の長手方向の両側、特にこの場合、両端部には、それぞれ突壁３０，３１を形成しており、この突壁３０，３１は、それぞれ下面側と上面側とに傾斜面３２，３３、３４，３５を有している。そのうち、各下面側の傾斜面３２，３４は外方（スライダ２８の長手方向の延長方向）に漸次下降するものであり、各上面側の傾斜面３３，３５は内方（スライダ２８の長手方向の延長方向とは反対方向）に漸次上昇するものであって、要するに、傾斜の方向が同じものである。
【００１５】
スライダ２８及び支持ボディ２４の上方には、操作ノブ３６を配設している。この操作ノブ３６は、平面形状が支持ボディ２４より大きい長方形を成す扁平ボックス状のものであり、その長手方向と直交する方向に対向する側壁の下部中央部には、それぞれ軸受孔３７，３７を形成している。又、操作ノブ３６の下縁部の外周には、軸受孔３７，３７の下方を回り込むようにしてフランジ部３８を形成しており、更に、操作ノブ３６の長手方向の両端部には、それぞれ下方へ突出する凸部３９，４０を形成している。
【００１６】
しかして、その構成で、操作ノブ３６を支持ボディ２４の上部に被せ、軸受孔３７，３７を支持ボディ２４の前記軸部２７，２７に嵌合している。この結果、操作ノブ３６は、支持ボディ２４に、軸部２７，２７を中心に矢印Ａ，Ｂで示すように揺動するように支持されており、要するに、シーソー式に揺動可能に支持されている。又、操作ノブ３６の凸部３９，４０は、前記スライダ２８の突壁３０，３１の各上面側の傾斜面３３，３５とほゞ平行な傾斜面に形成した下面が、前記スライダ２８の両突壁３０，３１の各上面側の傾斜面３３，３５に当接されている。
【００１７】
次に、上記構成のものの作用を述べる。
今、図２に示した状態から、操作ノブ３６を揺動操作すると、凸部３９がスライダ２８の突壁３０の上面側の傾斜面３３を押圧し、又は凸部４０がスライダ２８の突壁３１の上面側の傾斜面３５を押圧する（図１は、そのうちの凸部３９がスライダ２８の突壁３０の上面側の傾斜面３３を押圧した状態を示している）。従って、このとき、凸部３９，４０は操作ノブ３６のそれぞれ押込み端部側であり、押込み部として機能している。
【００１８】
上述のうち、凸部３９がスライダ２８の突壁３０の上面側の傾斜面３３を押圧したときには、該傾斜面３３の傾斜によって、スライダ２８は操作ノブ３６の押込み方向と交差、中でも直交する方向のうちの図２で右方向に移動し（図１参照）、凸部４０がスライダ２８の突壁３１の上面側の傾斜面３５を押圧したときには、該傾斜面３５の傾斜によって、スライダ２８は同じく操作ノブ３６の押込み方向と交差、中でも直交する方向のうちの図２で左方向に移動する。
【００１９】
そして、スライダ２８が図２で右方向に移動したときには、突壁３０の下面側の傾斜面３２によってタクトスイッチ２２の押ボタン２２ａが押圧されることにより、タクトスイッチ２２が作動し（図１参照）、スライダ２８が図２で左方向に移動したときには、突壁３１の下面側の傾斜面３４によってタクトスイッチ２３の押ボタン２３ａが押圧されることにより、タクトスイッチ２３が作動する。
【００２０】
ここで、スライダ２８が図２で右方向に移動したとき、移動先側では突壁３１の上面側の傾斜面３５の上部が、操作ノブ３６の押込み端部側である凸部３９とは反対側の端部側である凸部４０に押込み方向先で当接する（図１参照）。又、スライダ２８が図２で左方向に移動したときには、移動先側では突壁３０の上面側の傾斜面３３の上部が、操作ノブ３６の押込み端部側である凸部４０とは反対側の端部側である凸部３９に押込み方向先で当接する。
【００２１】
この後、操作ノブ３６を解放すると、このとき、スライダ２８が図２で右方向に移動していれば、タクトスイッチ２２の復元力で押ボタン２２ａが復帰されることにより、突壁３０の下面側の傾斜面３２が押ボタン２２ａに押圧され、該傾斜面３２の傾斜によって、スライダ２８は左方向に移動復帰され、タクトスイッチ２２も非作動状態に戻る。又、スライダ２８の復帰に伴い、操作ノブ３６も、凸部３９をスライダ２８の突壁３０の上面側の傾斜面３３に押し上げられて、凸部４０を突壁３１の上面側の傾斜面３５に接触させながら、復帰する。
【００２２】
又、このとき、スライダ２８が図２で左方向に移動していれば、タクトスイッチ２３の復元力で押ボタン２３ａが復帰されることにより、突壁３１の下面側の傾斜面３４が押ボタン２３ａに押圧され、該傾斜面３４の傾斜によって、スライダ２８は右方向に移動復帰され、タクトスイッチ２３も非作動状態に戻る。又、スライダ２８の復帰に伴い、操作ノブ３６も、凸部４０をスライダ２８の突壁３１の上面側の傾斜面３５に押し上げられて、凸部３９を突壁３０の上面側の傾斜面３３に接触させながら、復帰する。
従って、それらタクトスイッチ２２，２３の押ボタン２２ａ，２３ａを戻す復元力と、スライダ２８の両突壁３０，３１の下面側の傾斜面３２，３４は、移動したスライダ２８を復帰させる復帰手段として機能する。
【００２３】
このように本構成のものでは、操作ノブ３６を揺動操作したとき、移動したスライダ２８の移動先側の傾斜面３５又は３３の上部が、操作ノブ３６の押込み端部側とは反対側の端部側に押込み方向先で当接するもので、揺動操作した操作ノブ３６が復帰するときには、その操作ノブ３６の押込み端部側とは反対側の端部側がスライダ２８の移動先側の傾斜面３５又は３３に接したまま、復帰する。
【００２４】
従って、揺動操作した操作ノブ３６が復帰するときの、該操作ノブ３６のタクトスイッチ２３，２２への当たりが阻止され、又、該操作ノブ３６のスライダ２８への離間した状態からの当たりもないものであり、更に、スライダ２８自体も、タクトスイッチ２３，２２の押ボタン２３ａ，２２ａに接したまま復帰するもので、該タクトスイッチ２３，２２に離間した状態から当たることはない。かくして、揺動操作した操作ノブ３６が復帰されるときのノック音の発生をより確実に防止することができる。
【００２５】
なお、操作ノブ３６は、スライダ２８の傾斜面３３，３５に、凸部３９，４０を介さずに両端部で直接当接するようにしても良い。
又、タクトスイッチ２２，２３で例示したスイッチ素子は、それらタクトスイッチ２２，２３以外、例えばスライドスイッチ構造等であっても良い。
更に、移動したスライダ２８を復帰させる復帰手段も、タクトスイッチ２２，２３の押ボタン２２ａ，２３ａを戻す復元力と、スライダ２８の両突壁３０，３１の下面側の傾斜面３２，３４とによるものに限られず、スライダ２８の移動を戻す方向に直接的に力を付与するスプリング等であっても良い。
【００２６】
加えて、操作ノブ３６を揺動操作したとき、移動したスライダ２８の移動先側の傾斜面３５又は３３の上部は、操作ノブ３６の押込み端部側とは反対側の端部側に押込み方向先で当接するものに限られず、近接するものであっても良い。この場合、揺動操作した操作ノブ３６が復帰されるときの、該操作ノブ３６のスライダ２８への離間した状態からの当たりは、なくなるものではなく、小さく留められるように変わるものの、上述同様のノック音の発生防止の効果を得ることができる。
このほか、本発明は上記し且つ図面に示した実施例にのみ限定されるものではなく、特に、スイッチ装置の用途等の点につき、要旨を逸脱しない範囲内で適宜変更して実施し得る。
【図面の簡単な説明】
【００２７】
【図１】本発明の一実施例を示す装置全体の操作状態での縦断正面図
【図２】装置全体の常態での縦断正面図
【図３】図２のＸ−Ｘ線に沿う縦断側面図
【図４】主要部分の分解斜視図
【図５】従来例を示す図２相当図
【図６】図１相当図
【図７】異なる従来例を示す図２相当図
【図８】図１相当図
【符号の説明】
【００２８】
図面中、２２，２３はタクトスイッチ（スイッチ素子、復帰手段）、２８はスライダ、３２は傾斜面（復帰手段）、３３は傾斜面、３４は傾斜面（復帰手段）、３５は傾斜面、３６は操作ノブを示す。
【図１】
2008269801.tif 000003
【図２】
2008269801.tif 000004
【図３】
2008269801.tif 000005
【図４】
2008269801.tif 000006
【図５】
2008269801.tif 000007
【図６】
2008269801.tif 000008
【図７】
2008269801.tif 000009
【図８】
2008269801.tif 000010